(57)【要約】  画角65°以上、Fナンバー3以下の広角で明るいレンズにおいて、従来タイプより誤差感度が低く成形性などが良好でありながら、諸収差が補正された３枚構成の撮像レンズ、及びそれを用いた撮像装置並びに携帯端末を提供する。撮像レンズは、物体側から順に第１レンズ、開口絞り、第２レンズ、第３レンズからなり、前記第１レンズは物体側面が凸面の正レンズ、前記第２レンズは物体面が凹面の正メニスカスレンズ、前記第３レンズは像側面が光軸付近では凹面であり、かつ有効径内に変曲点を持ち、レンズ周辺では凸面となる非球面である負レンズであり、以下の条件式を満足する。  −５．０ ＜ ｒ３/ｆ ＜ −０．４ ・・・（１）  ０．０ ＜ ｆ１/ｆ２ ＜ ５．０   ・・・（２）但し、ｒ３：前記第２レンズ物体側面の曲率半径（ｍｍ）ｆ：全系の焦点距離（ｍｍ）ｆ１：前記第１レンズの焦点距離（ｍｍ）ｆ２：前記第２レンズの焦点距離（ｍｍ）
2013145989.tif 000002
【特許請求の範囲】
【請求項１】
最大像高の画角が６５°以上、かつＦナンバーが３．０以下の撮像レンズにおいて、
物体側から順に第１レンズ、開口絞り、第２レンズ、第３レンズからなり、
前記第１レンズは物体側面が凸面の正レンズ、
前記第２レンズは物体面が凹面の正メニスカスレンズ、
前記第３レンズは像側面が光軸付近では凹面であり、かつ有効径内に変曲点を持ち、レンズ周辺では凸面となる非球面である負レンズであり、
以下の条件式を満足することを特徴とする撮像レンズ。
−５．０ ＜ ｒ３/ｆ ＜ −０．４ ・・・（１）
０．０ ＜ ｆ１/ｆ２ ＜ ５．０   ・・・（２）
但し、
ｒ３：前記第２レンズ物体側面の曲率半径（ｍｍ）
ｆ：全系の焦点距離（ｍｍ）
ｆ１：前記第１レンズの焦点距離（ｍｍ）
ｆ２：前記第２レンズの焦点距離（ｍｍ）
【請求項２】
以下の条件式を満足することを特徴とする請求項１に記載の撮像レンズ。
−１．０ ＜ （ｒ５＋ｒ６）／（ｒ５−ｒ６） ＜ ２．５   ・・・（３）
但し、
ｒ５：前記第３レンズ物体側面の曲率半径（ｍｍ）
ｒ６：前記第３レンズ像側面の曲率半径（ｍｍ）
【請求項３】
以下の条件式を満足することを特徴とする請求項１または２に記載の撮像レンズ。
０．９ ＜ ｆ１/ｆ ＜ １．２・・・（４）
【請求項４】
以下の条件式を満足することを特徴とする請求項１〜３のいずれか１項に記載の撮像レンズ。
０．７ ＜ Ｄｓ/Ｙ ＜ １．２・・・（５）
但し、
Ｄｓ:前記開口絞りから像面までの距離（ｍｍ）
Ｙ:最大像高（ｍｍ）
【請求項５】
以下の条件式を満足することを特徴とする請求項１〜４のいずれか１項に記載の撮像レンズ。
０．１５ ＜ ｄ１/ＴＴＬ ＜ ０．３・・・（６）
但し、
ｄ１：前記第１レンズの芯厚（ｍｍ）
ＴＴＬ：前記撮像レンズ全長(平板は空気換算とする)（ｍｍ）
【請求項６】
以下の条件式を満足することを特徴とする請求項１〜５のいずれか１項に記載の撮像レンズ。
−２．０ ＜ （ｒ１＋ｒ２）／（ｒ１−ｒ２） ＜ −０．６・・・（７）
但し、
ｒ１：前記第１レンズ物体側面の曲率半径（ｍｍ）
ｒ２：前記第１レンズ像側面の曲率半径（ｍｍ）
【請求項７】
下記の条件式を満足することを特徴とする請求項１〜６のいずれか１項に記載の撮像レンズ。
−２．０ ＜ ｒ３/ｆ ＜ −０．４ ・・・（８）
【請求項８】
以下の条件式を満足することを特徴とする請求項１〜７のいずれか１項に記載の撮像レンズ。
０．７ ＜ ｆ１/ｆ２ ＜ ２．３ ・・・（９）
【請求項９】
以下の条件式を満足することを特徴とする請求項１〜８のいずれか１項に記載の撮像レンズ。
０．１＜ （ｒ５＋ｒ６）／（ｒ５−ｒ６） ＜ ２．０・・・（１０）
【請求項１０】
以下の条件式を満足することを特徴とする請求項１〜９のいずれか１項に記載の撮像レンズ。
４５ ＜ ｖ３ ＜７０ ・・・（１１）
ｖ３：第３レンズのアッベ数
【請求項１１】
以下の条件式を満足することを特徴とする請求項１〜１０のいずれか１項に記載の撮像レンズ。
ＴＴＬ／ｆ ＜ １．５ ・・・（１２）
【請求項１２】
以下の条件式を満足することを特徴とする請求項１〜１１のいずれか１項に記載の撮像レンズ。
Ｄ／ＴＴＬ ＞ １．５  ・・・（１３）
但し、
Ｄ：入射瞳径（ｍｍ）
【請求項１３】
実質的にパワーを有しないレンズを有することを特徴とする請求項１〜１２のいずれか１項に記載の撮像レンズ。
【請求項１４】
請求項１〜１３のいずれか１項に記載の撮像レンズを備えることを特徴とする撮像装置。
【請求項１５】
請求項１３に記載の撮像装置を備えることを特徴とする携帯端末。
【発明の詳細な説明】
【技術分野】
【０００１】
本発明は、ＣＣＤ（Charge Coupled Device）型イメージセンサやＣＭＯＳ（Complementary Metal Oxide Semiconductor）型イメージセンサ等の固体撮像素子を用いた撮像装置に好適な撮像レンズ及び撮像レンズを用いた撮像装置並びに携帯端末に関するものである。
【背景技術】
【０００２】
近年、CCD（Charge Coupled Device）型イメージセンサあるいはCMOS（Complementary Metal Oxide Semiconductor）型イメージセンサ等の固体撮像素子を用いた撮像素子の高性能化、小型化に伴い、撮像装置を備えた携帯電話や携帯情報端末が普及しつつある。また、これらの撮像装置に搭載される撮像レンズには、さらなる小型化、高性能化への要求が高まっている。近頃では、このような携帯端末に高画素・高性能のメインカメラと、低画素・小型のサブカメラの２つが搭載されている場合も多い。【０００３】
メインカメラ用途の撮像レンズとしては、高性能化が必要とされるため３枚乃至５枚構成の撮像レンズが提案されている。一方で、サブカメラとしては、これまではVGAクラスの画素数が一般的で、１〜２枚構成の撮像レンズが主であったが、最近では携帯端末における画像表示素子の高解像度化、大型化に伴い、サブカメラも２Ｍクラスへ高画素化が進み、撮像装置への要求性能も高まっている。そのため１〜２枚構成に比べ高性能化が可能な３枚構成の撮像レンズが提案されている。しかしながら、３枚構成になると２枚構成に比べ要素が多いため、それぞれの製造誤差が積み重なることによる性能劣化が著しく、２枚構成の撮像レンズよりも高精度に製造しなければ、高性能化が難しい。そのため、３枚構成の撮像レンズの光学設計には誤差感度が低く、生産性の観点で優れた設計が求められる。ここで、３枚構成の撮像レンズとしては、特許文献１，２のような、正正負構成の撮像レンズが知られている。
【先行技術文献】
【特許文献】
【０００４】
【特許文献１】特開２００４−３２６０９７号公報
【特許文献２】特開２００７−３２２５６１号公報
【発明の概要】
【発明が解決しようとする課題】
【０００５】
しかしながら、特許文献１に記載の撮像レンズでは、第２レンズの物体側面の曲率が強過ぎるため、前記光学面が光軸から偏芯した時に、大きな片ボケが発生してしまう。従って、第１レンズと第２レンズの光軸間に発生する偏芯を高精度に管理することが必要となり、生産性に懸念がある。また、特許文献２に記載の撮像レンズも同様に、第２レンズの物体側面の曲率が強過ぎるため、前記光学面が光軸から偏芯した時に発生する軸上コマ収差が大きく、生産性に懸念がある。更に、特許文献１、特許文献２の両方に開示された技術では、最大像高2mm以内の撮像レンズとした時に、レンズの厚みが薄くなり過ぎ、レンズ成形が困難となる懸念がある。【０００６】
本発明は、このような問題点に鑑みてなされたものであり、画角65°以上、Fナンバー3以下の広角で明るいレンズにおいて、従来タイプより誤差感度が低く成形性などが良好でありながら、諸収差が補正された３枚構成の撮像レンズ、及びそれを用いた撮像装置並びに携帯端末を提供することを目的とする。【０００７】
ここで、小型の撮像レンズの尺度であるが、本発明では下式を満たすレベルの小型化を目指している。この範囲を満たすことで、撮像装置全体の小型軽量化が可能となる。
ＴＴＬ／２Ｙ＜１．１０・・・（１４）【０００８】
ただし、ここで、像側焦点とは撮像レンズに光軸と平行な平行光線が入射した場合の像点をいう。なお、撮像レンズの最も像側の面と像側焦点位置との間に、光学的ローパスフィルタ、赤外線カットフィルタ、または固体撮像素子パッケージのシールガラス等の平行平板が配置される場合には、平行平板部分は空気換算距離としたうえで上記Ｌの値を計算するものとする。また、より望ましくは下式の範囲が良い。
ＴＴＬ／２Ｙ＜１．００・・・（１４）’
【課題を解決するための手段】
【０００９】
請求項１に記載の撮像レンズは、最大像高の画角が６５°以上、かつＦナンバーが３．０以下の撮像レンズにおいて、
物体側から順に第１レンズ、開口絞り、第２レンズ、第３レンズからなり、
前記第１レンズは物体側面が凸面の正レンズ、
前記第２レンズは物体面が凹面の正メニスカスレンズ、
前記第３レンズは像側面が光軸付近では凹面であり、かつ有効径内に変曲点を持ち、レンズ周辺では凸面となる非球面である負レンズであり、
以下の条件式を満足することを特徴とする撮像レンズ。
−５．０ ＜ ｒ３/ｆ ＜ −０．４ ・・・（１）
０．０ ＜ ｆ１/ｆ２ ＜ ５．０   ・・・（２）
但し、
ｒ３：前記第２レンズ物体側面の曲率半径（ｍｍ）
ｆ：全系の焦点距離（ｍｍ）
ｆ１：前記第１レンズの焦点距離（ｍｍ）
ｆ２：前記第２レンズの焦点距離（ｍｍ）【００１０】
最も物体側に、前記第１レンズとして物体側に凸面を向けた正レンズ（正のパワーを有するレンズ）を配置することで、主点位置を物体側へ寄せることができるため、レンズ全長を短縮することが出来る。また、前記開口絞りを前記第１レンズと前記第２レンズの間に配置することで、前記第１レンズと前記第２レンズが前記開口絞りを挟んで対称に近い構成を取ることができるため、収差補正に有利になる。【００１１】
また前記第２レンズとして物体側に凹面を向けたメニスカスレンズを配置することで、前記第２レンズ物体側面および像側面への光線入射角を小さくすることができるため、収差の発生を抑えることができる。更に前記第２レンズを正レンズとすることで、全長短縮時に前記第１レンズに偏りがちな正のパワーを前記第２レンズと分担することができ、広角化しても収差補正を良好にすることが出来る。【００１２】
また前記第３レンズとして像側面の光軸付近を凹面とする負レンズ（負のパワーを有するレンズ）を配置することで、ある程度バックフォーカスを確保することができ、同時に変曲点を持ち周辺部で凸面となる非球面とすることで、周辺光線のテレセントリック特性を良好にすることができる。【００１３】
最大像高画角65°以上の広角であり、なおかつF3以下の明るさと持ちつつ、光学全長の小さい撮像レンズを、３枚レンズであって第１レンズと第２レンズの間に開口絞りがある構成で達成しようとすると、より物体側に強い正のパワーが必要であり、なおかつ誤差感度を下げる観点から各レンズの光学面は曲率半径を大きくする必要がある。従って、前記第１レンズと前記第２レンズを一つのレンズ群と見なした時に、その群は強い正のパワーを持つ必要があり、その正のパワーは収差補正や誤差感度低減の観点から前記第１レンズと前記第２レンズで分担することが望ましい。条件式（２）は、前記第１レンズと前記第２レンズのパワー比の条件式であるが、条件式（２）の値が下限を下回るほど前記第１レンズのパワーが強い場合、前記第１レンズの偏芯誤差感度が非常に高くなってしまい、生産性が悪くなってしまう懸念がある。また、条件式（２）の値が上限を上回るほど前記第２レンズのパワーが強い場合、これも同じく前記第２レンズの偏芯誤差感度が高くなってしまい、生産性が悪くなってしまう懸念がある。そこで、条件式（２）を満たすことで、前記第１レンズおよび前記第２レンズの偏芯誤差感度を抑えつつ、広角かつ明るいレンズとしても性能を良好にすることができる。【００１４】
また条件式（１）は、前記第２レンズの物体側面の曲率半径と全系の焦点距離の比を規定する条件式であるが、条件式（１）の値が下限を下回るほど曲率半径が小さい場合、特にF3以下の明るいレンズにおいては、暗いレンズに比べ光線高さが高くなり、よりレンズ面の角度が大きいレンズ周辺部に光線が入射するため、偏芯誤差感度が高くなってしまう。また条件式（１）の値が上限を上回るほど曲率半径が大きい場合、面への光線の入射角が大きくなってしまい、コマ収差等の収差の発生を抑えることが困難となる。従って条件式（１）を満たすことで、偏芯誤差感度を低減させつつ、収差補正が良好なレンズとすることができる。【００１５】
請求項２に記載の撮像レンズは、請求項１に記載の発明において、以下の条件式を満足することを特徴とする。
−１．０ ＜ （ｒ５＋ｒ６）／（ｒ５−ｒ６） ＜ ２．５   ・・・（３）
但し、
ｒ５：前記第３レンズ物体側面の曲率半径（ｍｍ）
ｒ６：前記第３レンズ像側面の曲率半径（ｍｍ）【００１６】
条件式（３）は前記第３レンズの形状を規定する条件式である。条件式（３）の値が下限を上回ることで、負レンズである前記第３レンズの主点位置に対してレンズを物体側へ寄せることができるため、バックフォーカスを確保しやすくなる。また条件式（３）の値が上限を下回ることで、前記第３レンズが物体側に凸面を向けた強いメニスカス形状にならないため、バックフォーカスが長くなり過ぎ光学全長が大きくなってしまうことを防ぐことができる。【００１７】
請求項３に記載の撮像レンズは、請求項１又は２に記載の発明において、以下の条件式を満足することを特徴とする。
０．９ ＜ ｆ１/ｆ ＜ １．２・・・（４）【００１８】
条件式（４）は、前記第１レンズのパワーと全系のパワーの比を規定する条件式である。条件式（４）の値が下限を上回ることで、前記第１レンズのパワーが強過ぎることによる高次収差の発生や、偏芯誤差感度の上昇を防ぐことが出来る。また条件式（４）の値が上限を下回ることで、物体側に近い前記第１レンズの正のパワーが強くなり、全系の主点位置が物体側に寄るため、光学全長の短縮が可能になる。【００１９】
請求項４に記載の撮像レンズは、請求項１〜３のいずれかに記載の発明において、以下の条件式を満足することを特徴とする。
０．７ ＜ Ｄｓ/Ｙ ＜ １．２・・・（５）
但し、
Ｄｓ:前記開口絞りから像面までの距離（ｍｍ）
Ｙ:最大像高（ｍｍ）【００２０】
条件式（５）は、前記開口絞りから像面までの距離と最大像高の比を規定する条件式である。条件式（５）の値が下限を上回ることで、最大像高に対し前記開口絞りを像面から遠ざけ射出瞳位置を物体側へ寄せて、テレセントリック性を良好にすることができる。また条件式（５）の値が上限を下回ることで、前記開口絞りが像面から遠ざかり過ぎることを抑えて、光学全長が大きくなってしまうことを防ぐことができる。【００２１】
請求項５に記載の撮像レンズは、請求項１〜４のいずれかに記載の発明において、以下の条件式を満足することを特徴とする。
０．１５ ＜ ｄ１/ＴＴＬ ＜ ０．３・・・（６）
但し、
ｄ１：前記第１レンズの芯厚（ｍｍ）
ＴＴＬ：前記撮像レンズ全長(平板は空気換算とする)（ｍｍ）【００２２】
条件式（６）は、光学全長と前記第１レンズの軸上厚みの比を規定する条件式である。
条件式（６）の値が下限を上回ることで、前記第１レンズの厚みを十分確保することができるため、成形性に有利になる。また条件式（６）の値が上限を下回ることで、前記第１レンズが厚くなり過ぎ光学全長の短縮が困難になるのを防ぐことができる。【００２３】
請求項６に記載の撮像レンズは、請求項１〜５のいずれかに記載の発明において、以下の条件式を満足することを特徴とする。
−２．０ ＜ （ｒ１＋ｒ２）／（ｒ１−ｒ２） ＜ −０．６・・・（７）
但し、
ｒ１：前記第１レンズ物体側面の曲率半径（ｍｍ）
ｒ２：前記第１レンズ像側面の曲率半径（ｍｍ）【００２４】
条件式（７）は、前記第１レンズの形状を規定する条件式である。条件式（７）の値が下限を上回ることで、前記第１レンズの物体側面および像側面の曲率半径が小さくなり過ぎることによるコマ収差などの発生を抑えることができる。また条件式（７）の値が上限を下回ることにより前記第１レンズの主点位置が物体側に寄るため、光学全長を短縮することができる。【００２５】
請求項７に記載の撮像レンズは、請求項１〜６のいずれかに記載の発明において、下記の条件式を満足することを特徴とする。
−２．０ ＜ ｒ３/ｆ ＜ −０．４ ・・・（８）【００２６】
条件式（８）は第２レンズの物体側曲率半径と全系の焦点距離の比のより望ましい範囲であり、この条件式を満たすことで、より偏芯誤差感度と収差補正のバランスを良好にすることができる。【００２７】
請求項８に記載の撮像レンズは、請求項１〜７のいずれかに記載の発明において、以下の条件式を満足することを特徴とする。
０．７ ＜ ｆ１/ｆ２ ＜ ２．３ ・・・（９）【００２８】
条件式（９）は第１レンズと第２レンズの焦点距離の比のより望ましい範囲であり、この条件式を満たすことで、第１レンズと第２レンズのパワー比がより適切になり、偏芯誤差感度を低減することができる。【００２９】
請求項９に記載の撮像レンズは、請求項１〜８のいずれかに記載の発明において、以下の条件式を満足することを特徴とする。
０．１＜ （ｒ５＋ｒ６）／（ｒ５−ｒ６） ＜ ２．０・・・（１０）【００３０】
条件式（１０）は第３レンズ形状のより望ましい範囲であり、この条件式を満たすことで、バックフォーカスをより適切に保ちつつ、光学全長を小さくすることができる。【００３１】
請求項１０に記載の撮像レンズは、請求項１〜９のいずれかに記載の発明において、以下の条件式を満足することを特徴とする。
４５ ＜ ｖ３ ＜７０ ・・・（１１）
ｖ３：第３レンズのアッベ数【００３２】
条件式（１１）は前記第３レンズのアッベ数を規定する条件式である。条件式（１１）の値が下限を上回ることで、前記第３レンズ周辺部による倍率色収差の発生を抑えることができる。また条件式（１１）の値が上限を下回ることで、軸上色収差の補正に有利になる。【００３３】
請求項１１に記載の撮像レンズは、請求項１〜１０のいずれかに記載の発明において、以下の条件式を満足することを特徴とする。
ＴＴＬ／ｆ ＜ １．５ ・・・（１２）【００３４】
条件式（１２）は光学全長と焦点距離の比を規定する条件式である。この条件式を満足することで、画角と光学全長のバランスが良く、光学全長の小さい撮像レンズとすることができる。【００３５】
請求項１２に記載の撮像レンズは、請求項１〜１１のいずれかに記載の発明において、以下の条件式を満足することを特徴とする。
Ｄ／ＴＴＬ ＞ １．５・・・（１３）
但し、
Ｄ：入射瞳径（ｍｍ）【００３６】
条件式（１３）は入射瞳径と光学全長の比を規定する条件式である。条件式（１３）の値が下限を上回ることによって、適切な光量を確保することができ、ノイズの少ないクリアな画像を維持しつつ、全長を短縮することができる。一方、条件式（１３）の値が上限を下回ることによって、入射瞳径を大きくしすぎる必要がなく諸収差の補正が容易となる。【００３７】
請求項１３に記載の撮像レンズは、請求項１〜１２のいずれかに記載の発明において、実質的にパワーを有しないレンズを有することを特徴とする。つまり、請求項１の構成に、実質的にパワーを持たないダミーレンズを付与した場合でも本発明の適用範囲内である。【００３８】
請求項１４に記載の撮像装置は、請求項１〜１３のいずれかに記載の撮像レンズを備えることを特徴とする。【００３９】
請求項１５に記載の携帯端末は、請求項１４に記載の撮像装置を備えることを特徴とする。
【発明の効果】
【００４０】
本発明によれば、画角65°以上、Fナンバー3以下の広角で明るいレンズにおいて、従来タイプより誤差感度が低く成形性などが良好でありながら、諸収差が補正された３枚構成の撮像レンズ、及びそれを用いた撮像装置並びに携帯端末を提供することができる。
【図面の簡単な説明】
【００４１】
【図１】本実施の形態にかかる撮像装置ＬＵの斜視図である。
【図２】図１の構成を矢印II-II線で切断して矢印方向に見た断面図である。
【図３】携帯電話機Ｔを示す図である。
【図４】実施例１にかかる撮像レンズの断面図である。
【図５】実施例１にかかる撮像レンズの球面収差（ａ）、非点収差（ｂ）、及び歪曲収差（ｃ）、メリディオナルコマ収差（ｄ）の収差図である。
【図６】実施例２にかかる撮像レンズの断面図である。
【図７】実施例２にかかる撮像レンズの球面収差（ａ）、非点収差（ｂ）、及び歪曲収差（ｃ）、メリディオナルコマ収差（ｄ）の収差図である。
【図８】実施例３にかかる撮像レンズの断面図である。
【図９】実施例３にかかる撮像レンズの球面収差（ａ）、非点収差（ｂ）、及び歪曲収差（ｃ）、メリディオナルコマ収差（ｄ）の収差図である。
【図１０】実施例４にかかる撮像レンズの断面図である。
【図１１】実施例４にかかる撮像レンズの球面収差（ａ）、非点収差（ｂ）、及び歪曲収差（ｃ）、メリディオナルコマ収差（ｄ）の収差図である。
【図１２】実施例５にかかる撮像レンズの断面図である。
【図１３】実施例５にかかる撮像レンズの球面収差（ａ）、非点収差（ｂ）、及び歪曲収差（ｃ）、メリディオナルコマ収差（ｄ）の収差図である。
【図１４】実施例６にかかる撮像レンズの断面図である。
【図１５】実施例６にかかる撮像レンズの球面収差（ａ）、非点収差（ｂ）、及び歪曲収差（ｃ）、メリディオナルコマ収差（ｄ）の収差図である。
【図１６】実施例７にかかる撮像レンズの断面図である。
【図１７】実施例７にかかる撮像レンズの球面収差（ａ）、非点収差（ｂ）、及び歪曲収差（ｃ）、メリディオナルコマ収差（ｄ）の収差図である。
【図１８】実施例８にかかる撮像レンズの断面図である。
【図１９】実施例８にかかる撮像レンズの球面収差（ａ）、非点収差（ｂ）、及び歪曲収差（ｃ）、メリディオナルコマ収差（ｄ）の収差図である。
【図２０】実施例９にかかる撮像レンズの断面図である。
【図２１】実施例９にかかる撮像レンズの球面収差（ａ）、非点収差（ｂ）、及び歪曲収差（ｃ）、メリディオナルコマ収差（ｄ）の収差図である。
【発明を実施するための形態】
【００４２】
以下、本発明の実施の形態を図面に基づいて説明する。図１は、本実施の形態にかかる撮像装置ＬＵの斜視図であり、図２は、図１の構成を矢印II-II線で切断して矢印方向に見た断面図である。図２に示すように、撮像装置ＬＵは、光電変換部ＩＭａを有する固体撮像素子としてのＣＭＯＳ型イメージセンサＩＭと、このイメージセンサＩＭの光電変換部（受光面）ＩＭａに被写体像を撮像させる撮像レンズＬＮと、その電気信号の送受を行う不図示の外部接続用端子（電極）とを備え、これらが一体的に形成されている。
【００４３】
最大像高の画角が６５°以上、かつＦナンバーが３．０以下の撮像レンズＬＮは、物体側（図２で上方）から順に、第１レンズＬ１、開口絞りＳ、第２レンズＬ２、第３レンズＬ３からなり、第１レンズＬ１は物体側面が凸面の正レンズであり、第２レンズＬ２は物体面が凹面の正メニスカスレンズであり、第３レンズＬ３は像側面が光軸付近では凹面であり、かつ有効径内に変曲点を持ち、レンズ周辺では凸面となる非球面である負レンズである。レンズは、ガラス製でもプラスチック製でも良い。
【００４４】
第１レンズＬ１と第２レンズＬ２との間にはスペーサＳＰ１が配置され、第２レンズＬ２と第３レンズＬ３との間にはスペーサＳＰ２が配置され、第３レンズＬ３とＩＲカットフィルタＦとの間にはスペーサＳＰ３が配置されている。尚、レンズＬ１〜Ｌ３は、フランジ部同士を当接させていても良い。撮像レンズＬＮは、以下の式を満たす。
−５．０ ＜ ｒ３/ｆ ＜ −０．４ ・・・（１）
０．０ ＜ ｆ１/ｆ２ ＜ ５．０   ・・・（２）
但し、
ｒ３：第２レンズＬ２物体側面の曲率半径（ｍｍ）
ｆ：全系の焦点距離（ｍｍ）
ｆ１：第１レンズＬ１の焦点距離（ｍｍ）
ｆ２：第２レンズＬ２の焦点距離（ｍｍ）
【００４５】
撮像レンズＬＮは、筐体ＢＸの内周に固定されている。筐体ＢＸの下端は、イメージセンサＩＭを保持する基板ＳＴに当接している。
【００４６】
イメージセンサＩＭは、その受光側の平面の中央部に、画素（光電変換素子）が２次元的に配置された、受光部としての光電変換部ＩＭａが形成されており、不図示の信号処理回路に接続されている。かかる信号処理回路は、各画素を順次駆動し信号電荷を得る駆動回路部と、各信号電荷をデジタル信号に変換するＡ／Ｄ変換部と、このデジタル信号を用いて画像信号出力を形成する信号処理部等から構成されている。また、イメージセンサＩＭの受光側の平面の外縁近傍には、多数のパッド（図示略）が配置されており、不図示のワイヤを介してイメージセンサＩＭに接続されている。イメージセンサＩＭは、光電変換部ＩＭａからの信号電荷をデジタルＹＵＶ信号等の画像信号等に変換し、ワイヤ（不図示）を介して所定の回路に出力する。ここで、Ｙは輝度信号、Ｕ（＝Ｒ−Ｙ）は赤と輝度信号との色差信号、Ｖ（＝Ｂ−Ｙ）は青と輝度信号との色差信号である。なお、固体撮像素子は上記ＣＭＯＳ型のイメージセンサに限定されるものではなく、ＣＣＤ等の他のものを使用しても良い。
【００４７】
イメージセンサＩＭは、外部接続用端子を介して外部回路（例えば、撮像装置を実装した携帯端末の上位装置が有する制御回路）と接続し、外部回路からイメージセンサＩＭを駆動するための電圧やクロック信号の供給を受けたり、また、デジタルＹＵＶ信号を外部回路へ出力したりすることを可能とする。
【００４８】
次に、撮像装置を備えた携帯端末の一例として携帯電話機を図３の外観図に基づいて説明する。なお、図３（ａ）は折り畳んだ携帯電話機を開いて内側から見た図であり、図３（ｂ）は折り畳んだ携帯電話機を開いて外側から見た図である。
【００４９】
図３において、携帯電話機Ｔは、表示画面Ｄ１，Ｄ２を備えたケースとしての上筐体７１と、操作ボタンＢを備えた下筐体７２とがヒンジ７３を介して連結されている。本実施の形態においては、風景等を撮影するためのメインの撮像装置ＭＣが、上筐体７１の表面側に設けられ、上述した広角の撮像レンズＬＮを備える撮像装置ＬＵが、上筐体７１の裏面側であって表示画面Ｄ１の上に設けられている。
【００５０】
撮像レンズＬＮは、図３（ａ）に示すように撮像装置ＬＵに正対した状態で、携帯電話機Ｔを手で把持した使用者自身の上半身を撮像装置ＬＵにより撮像できる。その画像信号を通信している相手方の携帯電話機に送信して、こちらのユーザーの画像を表示できると共に、通常の通話を行うことにより、いわゆるテレビ電話を実現できる。なお、携帯電話機Ｔは折り畳み式に限定されるものではない。
【００５１】
（実施例）
次に、上述した実施の形態に好適な実施例について説明する。但し、以下に示す実施例により本発明が限定されるものではない。実施例における各符号の意味は以下の通りである（長さの単位は、波長以外ｍｍ）。
ＦＬ：撮像レンズ全系の焦点距離（ｍｍ）
ＢＦ：バックフォーカス（ｍｍ）（但し、カバーガラス込みの近軸像面までの距離）
Ｆｎｏ  ：Ｆナンバー
ｗ  ：半画角（゜）
Ｙｍａｘ：固体撮像素子の撮像面対角線長の半分の長さ（ｍｍ）
ＴＬ：撮像レンズ全系の最も物体側のレンズ面から像側焦点までの光軸上の距離（ｍｍ）（但し、「像側焦点」とは、撮像レンズに光軸と平行な平行光線が入射した場合の像点をいう。）
ｒ  ：屈折面の曲率半径（ｍｍ）
ｄ  ：軸上面間隔（ｍｍ）
ｎｄ：レンズ材料のｄ線の常温での屈折率
ｖｄ：レンズ材料のアッベ数
ＳＴＯ：開口絞り
【００５２】
各実施例において、各面番号の後に「＊」が記載されている面が非球面形状を有する面であり、非球面の形状は、面の頂点を原点とし、光軸方向にＸ軸をとり、光軸と垂直方向の高さをｈとして以下の「数１」で表す。
【００５３】
【数１】
2013145989.tif 000003
ただし、
Ａｉ：ｉ次の非球面係数
Ｒ  ：曲率半径
Ｋ  ：円錐定数
である。
【００５４】
また、以降（表のレンズデータを含む）において、１０のべき乗数（例えば、２．５×１０-02）をＥまたはｅ（例えば２．５ｅ−００２）を用いて表すものとする。また、レンズデータの面番号は第１レンズの物体側を１面として順に付与した。なお、実施例に記載の長さを表す数値の単位はすべてｍｍとする。
【００５５】
なお、請求項ならびに実施例に記載の近軸曲率半径の意味合いについて、実際のレンズ測定の場面においては、レンズ中央近傍(具体的には、レンズ外径に対して10%以内の中央領域)での形状測定値を最小自乗法でフィッティングした際の近似曲率半径を近軸曲率半径であるとみなすことができる。また、例えば2次の非球面係数を使用した場合には、非球面定義式の基準曲率半径に2次の非球面係数も勘案した曲率半径を近軸曲率半径とみなすことができる。（例えば参考文献として、松居吉哉著「レンズ設計法」(共立出版株式会社)のP41〜42を参照のこと）
【００５６】
（実施例１）
実施例１におけるレンズデータを表１に示す。図４は実施例１のレンズの断面図である。実施例１の撮像レンズは、物体側から順に、第１レンズＬ１、開口絞りＳ、第２レンズＬ２、第３レンズＬ３からなり、第１レンズＬ１は物体側面が凸面の正レンズであり、第２レンズＬ２は物体面が凹面の正メニスカスレンズであり、第３レンズＬ３は像側面が光軸付近では凹面であり、かつ有効径内に変曲点を持ち、レンズ周辺では凸面となる非球面である負レンズである。ＣＧはカバーガラス又はＩＲカットフィルタを想定した平行平板であり、ＩＭは固体撮像素子の撮像面である。
【００５７】
［表1］
[実施例1]
Reference Wave Length = 587.56 nm
unit: mm
面番号       r           d          nd     vd     eff.diameter
OBJ     INFINITY    350.0000                      
1*      1.0093      0.5970   1.58313  59.45     1.145
2*    -20.0000      0.0040                      0.653
STO     INFINITY      0.2370                      0.603
4*     -0.8784      0.5110   1.58313  59.45     0.745
5*     -0.5667      0.0200                      1.154
6*    -11.5146      0.4670   1.58313  59.45     1.438
7*      1.0398      0.2000                      1.976
8     INFINITY      0.1750   1.52550  54.49     2.320
IMG     INFINITY      0.3186                      
非球面係数
1:K=-5.82823e-001,A4=-1.44729e-002,A6=2.00267e-001,A8=-3.32259e+000,A10=9.67450e+000,A12=-1.62611e+001
2:K=-5.00000e+001,A4=-6.11206e-001,A6=1.04561e+000,A8=-1.99733e+001,A10=1.15283e+002,A12=-2.53793e+002
4:K=-1.68073e+000,A3=-2.43603e-001,A4=2.23065e+000,A5=-1.48786e+001,A6=5.30436e+000,A7=0.00000e+000,A8=3.24127e+002,A9=0.00000e+000,A10=-3.36409e+003,A11=0.00000e+000,A12=1.75099e+004,A13=0.00000e+000,A14=-3.64514e+004
5:K=-3.32755e+000,A3=2.86194e-001,A4=-5.05356e+000,A5=6.14011e+000,A6=3.30102e+000,A7=0.00000e+000,A8=-1.12011e+001,A9=0.00000e+000,A10=-1.16984e+000,A11=0.00000e+000,A12=1.52798e+002,A13=0.00000e+000,A14=-2.73122e+002
6:K=4.44836e+001,A3=3.72034e-001,A4=-5.49083e+000,A5=7.71369e+000,A6=1.16549e+000,A7=0.00000e+000,A8=-9.45267e+000,A9=0.00000e+000,A10=8.58151e+000,A11=0.00000e+000,A12=-3.13681e+000,A13=0.00000e+000,A14=1.43510e-001
7:K=-4.02482e-001,A3=4.50567e-001,A4=-4.40852e+000,A5=6.83922e+000,A6=-4.20748e+000,A7=0.00000e+000,A8=3.34901e-001,A9=0.00000e+000,A10=9.87298e-001,A11=0.00000e+000,A12=-9.55421e-001,A13=0.00000e+000,A14=2.87654e-001
FL       1.810
Fno       2.42
w       70.85゜
Ymax    1.295
BF       0.627
TL       2.463
Elem   Surfs   Focal Length    Diameter
1     1- 2      1.6651        1.145
2     4- 5      1.7077        1.154
3     6- 7     -1.6134        1.976
【００５８】
図５は実施例１の収差図（球面収差（ａ）、非点収差（ｂ）、歪曲収差（ｃ）、メリディオナルコマ収差（ｄ））である。ここで、球面収差図及びメリディオナルコマ収差図において、実線はｄ線、点線はｇ線に対する球面収差量をそれぞれ表し、非点収差図において、実線はサジタル面、点線はメリディオナル面を表す（以下、同じ）。
【００５９】
（実施例２）
実施例２におけるレンズデータを表２に示す。図６は実施例２のレンズの断面図である。実施例２の撮像レンズは、物体側から順に、第１レンズＬ１、開口絞りＳ、第２レンズＬ２、第３レンズＬ３からなり、第１レンズＬ１は物体側面が凸面の正レンズであり、第２レンズＬ２は物体面が凹面の正メニスカスレンズであり、第３レンズＬ３は像側面が光軸付近では凹面であり、かつ有効径内に変曲点を持ち、レンズ周辺では凸面となる非球面である負レンズである。ＣＧはカバーガラス又はＩＲカットフィルタを想定した平行平板であり、ＩＭは固体撮像素子の撮像面である。
【００６０】
［表２］
[実施例2]
Reference Wave Length = 587.56 nm
unit: mm
面番号       r           d          nd     vd     eff.diameter
OBJ     INFINITY    350.0000                      
1*      1.0985      0.6980   1.58313  59.45     1.227
2*     -1e+003      0.0170                      0.590
STO     INFINITY      0.2440                      0.522
4*     -1.1544      0.5840   1.58313  59.45     0.744
5*     -0.6000      0.0910                      1.199
6*     -8.1659      0.4500   1.58313  59.45     1.495
7*      0.8781      0.2000                      2.069
8     INFINITY      0.2100   1.52550  54.49     2.400
IMG     INFINITY      0.2227                      
非球面係数
1:K=-1.06930e+000,A3=0.00000e+000,A4=4.18030e-002,A5=0.00000e+000,A6=3.23990e-001,A7=0.00000e+000,A8=-2.45580e+000,A9=0.00000e+000,A10=6.03320e+000,A12=-6.75840e+000
2:K=3.00000e+001,A3=0.00000e+000,A4=-5.35580e-001,A5=0.00000e+000,A6=3.83290e+000,A7=0.00000e+000,A8=-3.05320e+001,A9=0.00000e+000,A10=6.01560e+001,A12=-2.30730e+002
4:K=-1.25250e+001,A3=-2.26050e-002,A4=-1.59240e+000,A5=-2.60220e+000,A6=5.52880e+000,A7=0.00000e+000,A8=1.20530e+001,A9=0.00000e+000,A10=-1.81540e+002,A11=0.00000e+000,A12=4.07010e+002,A13=0.00000e+000,A14=2.84260e+003
5:K=-6.54530e-001,A3=4.20450e-001,A4=-3.55610e+000,A5=7.49390e+000,A6=-4.10650e+000,A7=0.00000e+000,A8=-1.08340e+001,A9=0.00000e+000,A10=4.30770e+001,A11=0.00000e+000,A12=-2.55210e+001,A13=0.00000e+000,A14=-2.18560e+001
6:K=-3.67010e+000,A3=9.48110e-002,A4=-3.54110e+000,A5=4.15590e+000,A6=9.59320e-001,A7=0.00000e+000,A8=-3.13200e+000,A9=0.00000e+000,A10=2.47510e+000,A11=0.00000e+000,A12=-2.32220e+000,A13=0.00000e+000,A14=1.23010e+000
7:K=-5.20260e-001,A3=-1.01150e-001,A4=-2.47930e+000,A5=3.61860e+000,A6=-1.84470e+000,A7=0.00000e+000,A8=-2.18470e-001,A9=0.00000e+000,A10=4.65450e-001,A11=0.00000e+000,A12=-1.94400e-001,A13=0.00000e+000,A14=1.34670e-002
FL       1.892
Fno       2.80
w       69.05゜
Ymax    1.295
BF       0.550
TL       2.634
Elem   Surfs   Focal Length    Diameter
1     1- 2      1.8822        1.227
2     4- 5      1.5436        1.199
3     6- 7     -1.3352        2.069
【００６１】
図７は実施例２の収差図（球面収差（ａ）、非点収差（ｂ）、歪曲収差（ｃ）、メリディオナルコマ収差（ｄ））である。
【００６２】
（実施例３）
実施例３におけるレンズデータを表３に示す。図８は実施例３のレンズの断面図である。実施例３の撮像レンズは、物体側から順に、第１レンズＬ１、開口絞りＳ、第２レンズＬ２、第３レンズＬ３からなり、第１レンズＬ１は物体側面が凸面の正レンズであり、第２レンズＬ２は物体面が凹面の正メニスカスレンズであり、第３レンズＬ３は像側面が光軸付近では凹面であり、かつ有効径内に変曲点を持ち、レンズ周辺では凸面となる非球面である負レンズである。ＣＧはカバーガラス又はＩＲカットフィルタを想定した平行平板であり、ＩＭは固体撮像素子の撮像面である。
【００６３】
［表３］
[実施例3]
Reference Wave Length = 587.56 nm
unit: mm
面番号       r           d          nd     vd     eff.diameter
OBJ     INFINITY    350.0000                      
1*      0.7288      0.3106   1.54470  56.09     0.812
2*      6.6420      0.0275                      0.578
STO     INFINITY      0.2228                      0.487
4*     -0.5810      0.3071   1.54470  56.09     0.608
5*     -0.3170      0.0215                      0.834
6*     13.0982      0.2309   1.54470  56.09     1.100
7*      0.5185      0.2025                      1.380
8     INFINITY      0.2100   1.52310  54.49     1.680
IMG     INFINITY      0.3064                      
非球面係数
1:K=-6.17489e-001,A3=0.00000e+000,A4=-5.77962e-002,A5=0.00000e+000,A6=8.12359e-001,A7=0.00000e+000,A8=-3.27881e+001,A9=0.00000e+000,A10=1.79113e+002,A12=-5.76174e+002
2:K=2.48970e+000,A3=0.00000e+000,A4=-1.35183e+000,A5=0.00000e+000,A6=2.38687e+001,A7=0.00000e+000,A8=-6.39337e+002,A9=0.00000e+000,A10=6.85188e+003,A12=-2.74431e+004
4:K=-1.28548e+001,A3=-4.21232e-001,A4=-6.46691e+000,A5=3.35091e+000,A6=-4.06024e-001,A7=0.00000e+000,A8=3.69681e+002,A9=0.00000e+000,A10=-5.86088e+003,A11=0.00000e+000,A12=3.35323e+004,A13=0.00000e+000,A14=1.84507e+004
5:K=-1.54745e+000,A3=1.02137e+000,A4=-4.19467e+000,A5=3.90191e+000,A6=-1.49072e+000,A7=0.00000e+000,A8=-2.71405e+001,A9=0.00000e+000,A10=3.15198e+002,A11=0.00000e+000,A12=6.14455e+002,A13=0.00000e+000,A14=-2.26195e+003
6:K=1.99179e+001,A3=5.62236e-001,A4=-5.25251e+000,A5=7.95696e+000,A6=-2.56313e-001,A7=0.00000e+000,A8=-1.22486e+001,A9=0.00000e+000,A10=2.04422e+001,A11=0.00000e+000,A12=-1.67662e+001,A13=0.00000e+000,A14=8.78548e+000
7:K=-1.07787e+000,A3=-5.86961e-001,A4=-6.90530e+000,A5=1.78845e+001,A6=-1.58721e+001,A7=0.00000e+000,A8=4.07817e+000,A9=0.00000e+000,A10=4.74275e+000,A11=0.00000e+000,A12=-8.44236e+000,A13=0.00000e+000,A14=3.86176e+000
FL       1.361
Fno       2.40
w       70.74゜
Ymax    0.991
BF       0.641
TL       1.762
Elem   Surfs   Focal Length    Diameter
1     1- 2      1.4755        0.831
2     4- 5      0.9083        0.856
3     6- 7     -0.9977        1.534
【００６４】
図９は実施例３の収差図（球面収差（ａ）、非点収差（ｂ）、歪曲収差（ｃ）、メリディオナルコマ収差（ｄ））である。
【００６５】
（実施例４）
実施例４におけるレンズデータを表４に示す。図１０は実施例４のレンズの断面図である。実施例４の撮像レンズは、物体側から順に、第１レンズＬ１、開口絞りＳ、第２レンズＬ２、第３レンズＬ３からなり、第１レンズＬ１は物体側面が凸面の正レンズであり、第２レンズＬ２は物体面が凹面の正メニスカスレンズであり、第３レンズＬ３は像側面が光軸付近では凹面であり、かつ有効径内に変曲点を持ち、レンズ周辺では凸面となる非球面である負レンズである。ＣＧはカバーガラス又はＩＲカットフィルタを想定した平行平板であり、ＩＭは固体撮像素子の撮像面である。
【００６６】
［表４］
[実施例4]
Reference Wave Length = 587.56 nm
unit: mm
面番号       r           d          nd     vd     eff.diameter
OBJ     INFINITY    350.0000                      
1*      0.7347      0.3064   1.54470  56.09     0.805
2*      7.2122      0.0270                      0.577
STO     INFINITY      0.2423                      0.490
4*     -0.5683      0.3031   1.54470  56.09     0.619
5*     -0.3145      0.0200                      0.842
6*     15.4076      0.2326   1.54470  56.09     1.120
7*      0.5274      0.2070                      1.390
8     INFINITY      0.2100   1.52310  54.49     1.710
IMG     INFINITY      0.2957                      
非球面係数
1:K=-6.48596e-001,A3=0.00000e+000,A4=-6.70484e-002,A5=0.00000e+000,A6=6.91345e-001,A7=0.00000e+000,A8=-3.28755e+001,A9=0.00000e+000,A10=1.79314e+002,A12=-5.87418e+002
2:K=-4.48170e+001,A3=0.00000e+000,A4=-1.35668e+000,A5=0.00000e+000,A6=2.39714e+001,A7=0.00000e+000,A8=-6.37816e+002,A9=0.00000e+000,A10=6.84782e+003,A12=-2.77262e+004
4:K=-1.23566e+001,A3=-4.63019e-001,A4=-6.54866e+000,A5=3.22694e+000,A6=-5.13701e-001,A7=0.00000e+000,A8=3.71082e+002,A9=0.00000e+000,A10=-5.99233e+003,A11=0.00000e+000,A12=3.29123e+004,A13=0.00000e+000,A14=2.34825e+004
5:K=-1.51528e+000,A3=1.03010e+000,A4=-4.25213e+000,A5=3.79135e+000,A6=-1.68235e+000,A7=0.00000e+000,A8=-2.81556e+001,A9=0.00000e+000,A10=3.13827e+002,A11=0.00000e+000,A12=6.21489e+002,A13=0.00000e+000,A14=-2.26185e+003
6:K=-1.74664e+000,A3=5.42485e-001,A4=-5.25311e+000,A5=7.96085e+000,A6=-2.47613e-001,A7=0.00000e+000,A8=-1.22122e+001,A9=0.00000e+000,A10=2.04587e+001,A11=0.00000e+000,A12=-1.68599e+001,A13=0.00000e+000,A14=8.83749e+000
7:K=-1.09045e+000,A3=-5.96305e-001,A4=-6.91120e+000,A5=1.78923e+001,A6=-1.58751e+001,A7=0.00000e+000,A8=4.02198e+000,A9=0.00000e+000,A10=4.67516e+000,A11=0.00000e+000,A12=-8.40741e+000,A13=0.00000e+000,A14=4.12776e+000
FL       1.364
Fno       2.40
w       70.80゜
Ymax    0.991
BF       0.635
TL       1.766
Elem   Surfs   Focal Length    Diameter
1     1- 2      1.4771        0.805
2     4- 5      0.9095        0.839
3     6- 7     -1.0081        1.383
【００６７】
図１１は実施例４の収差図（球面収差（ａ）、非点収差（ｂ）、歪曲収差（ｃ）、メリディオナルコマ収差（ｄ））である。
【００６８】
（実施例５）
実施例５におけるレンズデータを表５に示す。図１２は実施例５のレンズの断面図である。実施例５の撮像レンズは、物体側から順に、第１レンズＬ１、開口絞りＳ、第２レンズＬ２、第３レンズＬ３からなり、第１レンズＬ１は物体側面が凸面の正レンズであり、第２レンズＬ２は物体面が凹面の正メニスカスレンズであり、第３レンズＬ３は像側面が光軸付近では凹面であり、かつ有効径内に変曲点を持ち、レンズ周辺では凸面となる非球面である負レンズである。ＣＧはカバーガラス又はＩＲカットフィルタを想定した平行平板であり、ＩＭは固体撮像素子の撮像面である。
【００６９】
［表５］
[実施例5]
Reference Wave Length = 587.56 nm
unit: mm
面番号       r           d          nd     vd     eff.diameter
OBJ     INFINITY    350.0000                      
1*      0.7571      0.3980   1.54470  56.09     1.032
2*      2.0960      0.0611                      0.688
STO     INFINITY      0.2630                      0.582
4*     -0.9594      0.5409   1.54470  56.09     0.765
5*     -0.3998      0.0200                      1.182
6*     12.8895      0.2763   1.54470  56.09     1.557
7*      0.5429      0.2000                      1.897
8     INFINITY      0.2100   1.52310  54.49     2.156
IMG     INFINITY      0.3881                     
非球面係数
1:K=-2.12223e-001,A3=0.00000e+000,A4=9.44218e-002,A5=0.00000e+000,A6=8.73824e-001,A7=0.00000e+000,A8=-5.89894e+000,A9=0.00000e+000,A10=2.87946e+001,A12=-4.35614e+001
2:K=4.74203e+000,A3=0.00000e+000,A4=-3.48170e-001,A5=0.00000e+000,A6=9.74272e+000,A7=0.00000e+000,A8=-1.25263e+002,A9=0.00000e+000,A10=7.72957e+002,A12=-1.93360e+003
4:K=-2.47267e+001,A3=-2.09631e-001,A4=-2.91299e+000,A5=1.60631e+000,A6=-3.92374e+000,A7=0.00000e+000,A8=7.03881e+001,A9=0.00000e+000,A10=-7.45996e+002,A11=0.00000e+000,A12=2.90749e+003,A13=0.00000e+000,A14=-4.18084e+003
5:K=-1.47985e+000,A3=7.35473e-001,A4=-2.17357e+000,A5=1.60764e+000,A6=1.46526e-002,A7=0.00000e+000,A8=-7.41180e+000,A9=0.00000e+000,A10=1.99449e+001,A11=0.00000e+000,A12=-6.20567e+000,A13=0.00000e+000,A14=1.13730e+001
6:K=-2.89526e+001,A3=2.23174e-001,A4=-2.76256e+000,A5=3.36174e+000,A6=8.78567e-002,A7=0.00000e+000,A8=-2.42147e+000,A9=0.00000e+000,A10=2.61648e+000,A11=0.00000e+000,A12=-1.99703e+000,A13=0.00000e+000,A14=7.70916e-001
7:K=-9.34713e-001,A3=-6.61931e-001,A4=-3.52027e+000,A5=7.49593e+000,A6=-5.30455e+000,A7=0.00000e+000,A8=8.33485e-001,A9=0.00000e+000,A10=6.73974e-001,A11=0.00000e+000,A12=-7.08918e-001,A13=0.00000e+000,A14=2.00545e-001
FL       1.739
Fno       2.40
w       70.00゜
Ymax    1.238
BF       0.719
TL       2.278
Elem   Surfs   Focal Length    Diameter
1     1- 2      1.9695        1.056
2     4- 5      0.9385        1.233
3     6- 7     -1.0489        2.125
【００７０】
図１３は実施例５の収差図（球面収差（ａ）、非点収差（ｂ）、歪曲収差（ｃ）、メリディオナルコマ収差（ｄ））である。
【００７１】
（実施例６）
実施例６におけるレンズデータを表６に示す。図１４は実施例６のレンズの断面図である。実施例６の撮像レンズは、物体側から順に、第１レンズＬ１、開口絞りＳ、第２レンズＬ２、第３レンズＬ３からなり、第１レンズＬ１は物体側面が凸面の正レンズであり、第２レンズＬ２は物体面が凹面の正メニスカスレンズであり、第３レンズＬ３は像側面が光軸付近では凹面であり、かつ有効径内に変曲点を持ち、レンズ周辺では凸面となる非球面である負レンズである。ＣＧはカバーガラス又はＩＲカットフィルタを想定した平行平板であり、ＩＭは固体撮像素子の撮像面である。
【００７２】
［表６］
[実施例6]
Reference Wave Length = 587.56 nm
unit: mm
面番号       r           d          nd     vd     eff.diameter
OBJ     INFINITY    350.0000                      
1*      0.8169      0.3908   1.54470  56.09     1.053
2*      2.3298      0.0646                      0.700
STO     INFINITY      0.3609                      0.598
4*     -3.8305      0.6636   1.54470  56.09     0.962
5*     -0.4250      0.0200                      1.344
6*     -5.8080      0.2500   1.54470  56.09     1.521
7*      0.4375      0.2000                      2.061
8     INFINITY      0.2100   1.52310  54.49     2.230
IMG     INFINITY      0.1962                      
非球面係数
1:K=-1.52969e-001,A3=0.00000e+000,A4=1.43038e-001,A5=0.00000e+000,A6=-8.48792e-001,A7=0.00000e+000,A8=1.05741e+001,A9=0.00000e+000,A10=-3.99881e+001,A12=7.07314e+001
2:K=2.95142e+001,A3=0.00000e+000,A4=-2.47685e-001,A5=0.00000e+000,A6=6.98135e+000,A7=0.00000e+000,A8=-1.18474e+002,A9=0.00000e+000,A10=8.97606e+002,A12=-2.69198e+003
4:K=-5.00000e+001,A3=-2.29364e-001,A4=1.02674e+000,A5=-1.57055e+000,A6=-1.69722e+001,A7=0.00000e+000,A8=1.79103e+002,A9=0.00000e+000,A10=-1.02883e+003,A11=0.00000e+000,A12=3.02000e+003,A13=0.00000e+000,A14=-3.52347e+003
5:K=-2.49539e+000,A3=2.77022e-001,A4=-2.23833e+000,A5=1.81634e+000,A6=9.89095e-001,A7=0.00000e+000,A8=-6.35618e+000,A9=0.00000e+000,A10=1.50234e+001,A11=0.00000e+000,A12=-1.32646e+001,A13=0.00000e+000,A14=7.54699e+000
6:K=4.11416e+001,A3=-2.66457e-001,A4=-3.11989e+000,A5=3.52584e+000,A6=9.14555e-001,A7=0.00000e+000,A8=-1.03863e+000,A9=0.00000e+000,A10=1.65374e+000,A11=0.00000e+000,A12=-6.17614e+000,A13=0.00000e+000,A14=4.71489e+000
7:K=-9.26775e-001,A3=-1.14558e+000,A4=-3.35954e+000,A5=7.68450e+000,A6=-5.35169e+000,A7=0.00000e+000,A8=6.43931e-001,A9=0.00000e+000,A10=6.86433e-001,A11=0.00000e+000,A12=-5.54066e-001,A13=0.00000e+000,A14=1.11887e-001
FL       1.750
Fno       2.40
w       69.86゜
Ymax    1.234
BF       0.528
TL       2.278
Elem   Surfs   Focal Length    Diameter
1     1- 2      2.1166        1.053
2     4- 5      0.8213        1.344
3     6- 7     -0.7365        2.061
【００７３】
図１５は実施例６の収差図（球面収差（ａ）、非点収差（ｂ）、歪曲収差（ｃ）、メリディオナルコマ収差（ｄ））である。
【００７４】
（実施例７）
実施例７におけるレンズデータを表７に示す。図１６は実施例７のレンズの断面図である。実施例７の撮像レンズは、物体側から順に、第１レンズＬ１、開口絞りＳ、第２レンズＬ２、第３レンズＬ３からなり、第１レンズＬ１は物体側面が凸面の正レンズであり、第２レンズＬ２は物体面が凹面の正メニスカスレンズであり、第３レンズＬ３は像側面が光軸付近では凹面であり、かつ有効径内に変曲点を持ち、レンズ周辺では凸面となる非球面である負レンズである。ＣＧはカバーガラス又はＩＲカットフィルタを想定した平行平板であり、ＩＭは固体撮像素子の撮像面である。
【００７５】
［表７］
[実施例7]
Reference Wave Length = 587.56 nm
unit: mm
面番号       r           d          nd     vd     eff.diameter
OBJ     INFINITY    350.0000                      
1*      0.8511      0.4013   1.54470  56.09     1.062
2*      1.8506      0.0695                      0.653
STO     INFINITY      0.2888                      0.541
4*     -2.9620      0.6475   1.54470  56.09     0.944
5*     -0.3405      0.0407                      1.283
6*     -2.5368      0.2500   1.54470  56.09     1.582
7*      0.4276      0.2000                      2.033
8     INFINITY      0.2100   1.52310  54.49     2.164
IMG     INFINITY      0.2480                      
非球面係数
1:K=-1.03776e-002,A3=0.00000e+000,A4=1.87104e-001,A5=0.00000e+000,A6=-8.66986e-001,A7=0.00000e+000,A8=1.17674e+001,A9=0.00000e+000,A10=-4.34734e+001,A12=8.25561e+001
2:K=1.50371e+001,A3=0.00000e+000,A4=7.66907e-002,A5=0.00000e+000,A6=5.85416e+000,A7=0.00000e+000,A8=-1.07585e+002,A9=0.00000e+000,A10=1.15749e+003,A12=-4.43924e+003
4:K=1.80188e+001,A3=-5.49035e-002,A4=3.24135e-001,A5=9.04907e-002,A6=-1.76211e+001,A7=0.00000e+000,A8=1.74496e+002,A9=0.00000e+000,A10=-1.01278e+003,A11=0.00000e+000,A12=3.15869e+003,A13=0.00000e+000,A14=-3.77798e+003
5:K=-1.71328e+000,A3=1.27737e+000,A4=-3.36740e+000,A5=1.12523e+000,A6=1.65838e+000,A7=0.00000e+000,A8=-5.27829e+000,A9=0.00000e+000,A10=1.06616e+001,A11=0.00000e+000,A12=-2.02010e+001,A13=0.00000e+000,A14=4.13132e+001
6:K=5.80943e+000,A3=6.95597e-001,A4=-3.52999e+000,A5=2.90357e+000,A6=6.12133e-001,A7=0.00000e+000,A8=-6.46441e-001,A9=0.00000e+000,A10=2.52287e+000,A11=0.00000e+000,A12=-5.53078e+000,A13=0.00000e+000,A14=3.11594e+000
7:K=-9.66263e-001,A3=-1.04302e+000,A4=-3.55231e+000,A5=7.94015e+000,A6=-5.40543e+000,A7=0.00000e+000,A8=5.55505e-001,A9=0.00000e+000,A10=7.41856e-001,A11=0.00000e+000,A12=-5.02395e-001,A13=0.00000e+000,A14=8.29632e-002
FL       1.594
Fno       2.40
w       75.79゜
Ymax    1.234
BF       0.580
TL       2.278
Elem   Surfs   Focal Length    Diameter
1     1- 2      2.5341        1.062
2     4- 5      0.6497        1.283
3     6- 7     -0.6523        2.033
【００７６】
図１７は実施例７の収差図（球面収差（ａ）、非点収差（ｂ）、歪曲収差（ｃ）、メリディオナルコマ収差（ｄ））である。
【００７７】
（実施例８）
実施例８におけるレンズデータを表８に示す。図１８は実施例８のレンズの断面図である。実施例８の撮像レンズは、物体側から順に、第１レンズＬ１、開口絞りＳ、第２レンズＬ２、第３レンズＬ３からなり、第１レンズＬ１は物体側面が凸面の正レンズであり、第２レンズＬ２は物体面が凹面の正メニスカスレンズであり、第３レンズＬ３は像側面が光軸付近では凹面であり、かつ有効径内に変曲点を持ち、レンズ周辺では凸面となる非球面である負レンズである。ＣＧはカバーガラス又はＩＲカットフィルタを想定した平行平板であり、ＩＭは固体撮像素子の撮像面である。
【００７８】
［表８］
[実施例8]
Reference Wave Length = 587.56 nm
unit: mm
面番号       r           d          nd     vd     eff.diameter
OBJ     INFINITY    350.0000                      
1*      0.7225      0.4326   1.54470  56.09     1.057
2*      1.9854      0.0617                      0.678
STO     INFINITY      0.2504                      0.566
4*     -0.9275      0.4278   1.54470  56.09     0.737
5*     -0.3231      0.0727                      1.054
6*     -0.5307      0.3462   1.54470  56.09     1.374
7*      3.0070      0.2052                      1.834
8     INFINITY      0.2100   1.52310  54.49     2.144
IMG     INFINITY      0.2834                      
非球面係数
1:K=-1.97626e-001,A3=0.00000e+000,A4=8.88625e-002,A5=0.00000e+000,A6=3.98172e-001,A7=0.00000e+000,A8=-8.83580e-001,A9=0.00000e+000,A10=6.69554e+000,A12=-7.55857e+000
2:K=1.40660e+000,A3=0.00000e+000,A4=-2.61728e-002,A5=0.00000e+000,A6=2.85174e+000,A7=0.00000e+000,A8=-4.06029e+001,A9=0.00000e+000,A10=2.93508e+002,A12=-8.99515e+002
4:K=-3.32176e+000,A3=1.87422e-001,A4=-3.29029e+000,A5=1.72062e+000,A6=-1.17147e+001,A7=0.00000e+000,A8=3.99078e+001,A9=0.00000e+000,A10=5.16280e+002,A11=0.00000e+000,A12=-6.78861e+003,A13=0.00000e+000,A14=2.16943e+004
5:K=-1.21280e+000,A3=1.08241e+000,A4=-2.50701e+000,A5=1.79875e+000,A6=-1.29413e+000,A7=0.00000e+000,A8=-1.03574e+001,A9=0.00000e+000,A10=4.48482e+001,A11=0.00000e+000,A12=5.20148e+001,A13=0.00000e+000,A14=-8.24828e+001
6:K=-6.14011e-001,A3=1.16793e+000,A4=-2.07640e+000,A5=3.48692e+000,A6=-1.45751e-001,A7=0.00000e+000,A8=-2.52902e+000,A9=0.00000e+000,A10=2.92016e+000,A11=0.00000e+000,A12=-7.44067e+000,A13=0.00000e+000,A14=9.24233e+000
7:K=-5.00000e+001,A3=4.43475e-001,A4=-3.82731e+000,A5=7.32317e+000,A6=-5.36081e+000,A7=0.00000e+000,A8=8.62393e-001,A9=0.00000e+000,A10=7.57066e-001,A11=0.00000e+000,A12=-6.23728e-001,A13=0.00000e+000,A14=-6.39495e-003
FL       1.746
Fno       2.40
w       69.84゜
Ymax    1.234
BF       0.619
TL       2.211
Elem   Surfs   Focal Length    Diameter
1     1- 2      1.8606        1.057
2     4- 5      0.7286        1.054
3     6- 7     -0.8006        1.834
【００７９】
図１９は実施例８の収差図（球面収差（ａ）、非点収差（ｂ）、歪曲収差（ｃ）、メリディオナルコマ収差（ｄ））である。
【００８０】
（実施例９）
実施例９におけるレンズデータを表９に示す。図２０は実施例９のレンズの断面図である。実施例９の撮像レンズは、物体側から順に、第１レンズＬ１、開口絞りＳ、第２レンズＬ２、第３レンズＬ３からなり、第１レンズＬ１は物体側面が凸面の正レンズであり、第２レンズＬ２は物体面が凹面の正メニスカスレンズであり、第３レンズＬ３は像側面が光軸付近では凹面であり、かつ有効径内に変曲点を持ち、レンズ周辺では凸面となる非球面である負レンズである。ＣＧはカバーガラス又はＩＲカットフィルタを想定した平行平板であり、ＩＭは固体撮像素子の撮像面である。
【００８１】
［表９］
[実施例9]
Reference Wave Length = 587.56 nm
unit: mm
面番号       r           d          nd     vd     eff.diameter
OBJ     INFINITY    350.0000                      
1*      0.9046      0.3573   1.54470  56.09     1.054
2*      3.9258      0.0717                      0.763
STO     INFINITY      0.3796                      0.609
4*     -0.9067      0.4742   1.54470  56.09     0.880
5*     -0.4678      0.0201                      1.225
6*      1.0938      0.2500   1.54470  56.09     1.685
7*      0.4309      0.2048                      1.993
8     INFINITY      0.2100   1.52310  54.49     2.083
IMG     INFINITY      0.3890                     
非球面係数
1:K=-4.65610e-001,A3=0.00000e+000,A4=1.49423e-002,A5=0.00000e+000,A6=5.72446e-001,A7=0.00000e+000,A8=-2.65903e+000,A9=0.00000e+000,A10=6.35086e+000,A12=-5.09613e+000
2:K=1.20013e+001,A3=0.00000e+000,A4=-1.64630e-001,A5=0.00000e+000,A6=3.29193e+000,A7=0.00000e+000,A8=-4.34633e+001,A9=0.00000e+000,A10=2.58730e+002,A12=-5.58065e+002
4:K=-2.54499e+001,A3=-9.31413e-002,A4=-2.98041e+000,A5=1.70580e+000,A6=-2.19356e+000,A7=0.00000e+000,A8=8.71661e+001,A9=0.00000e+000,A10=-8.21247e+002,A11=0.00000e+000,A12=3.34236e+003,A13=0.00000e+000,A14=-4.93676e+003
5:K=-1.48536e+000,A3=5.88871e-001,A4=-2.14116e+000,A5=1.70438e+000,A6=2.08768e-001,A7=0.00000e+000,A8=-6.98350e+000,A9=0.00000e+000,A10=2.12481e+001,A11=0.00000e+000,A12=-1.78307e+000,A13=0.00000e+000,A14=-1.57841e+001
6:K=-9.20236e+000,A3=1.29053e-001,A4=-2.77143e+000,A5=3.34916e+000,A6=7.65998e-002,A7=0.00000e+000,A8=-2.42220e+000,A9=0.00000e+000,A10=2.60599e+000,A11=0.00000e+000,A12=-1.92579e+000,A13=0.00000e+000,A14=6.75292e-001
7:K=-9.51954e-001,A3=-8.31912e-001,A4=-3.56816e+000,A5=7.54042e+000,A6=-5.27186e+000,A7=0.00000e+000,A8=8.06649e-001,A9=0.00000e+000,A10=6.63896e-001,A11=0.00000e+000,A12=-6.75316e-001,A13=0.00000e+000,A14=1.72049e-001
FL       1.725
Fno       2.40
w       70.00゜
Ymax    1.234
BF       0.725
TL       2.278
Elem   Surfs   Focal Length    Diameter
1     1- 2      2.0714        1.054
2     4- 5      1.2848        1.225
3     6- 7     -1.5054        1.993
【００８２】
図２１は実施例９の収差図（球面収差（ａ）、非点収差（ｂ）、歪曲収差（ｃ）、メリディオナルコマ収差（ｄ））である。
【００８３】
各条件式に対応する実施例の値を表１０にまとめて示す。
【００８４】
【表１０】
2013145989.tif 000004
【００８５】
また、本発明は、明細書に記載の実施形態や実施例に限定されるものではなく、他の実施例・変形例を含むことは、本明細書に記載された実施形態や実施例や技術思想から本分野の当業者にとって明らかである。例えば、実質的にパワーを持たないダミーレンズを更に付与した場合でも本発明の適用範囲内である。
【符号の説明】
【００８６】
Ｂ  操作ボタン
Ｄ１，Ｄ２  表示画面
Ｌ１  第１レンズ
Ｌ２  第２レンズ
Ｌ３  第３レンズ
ＬＮ  撮像レンズ
ＬＵ  撮像装置
Ａｐｅ  開口絞り
ＩＭ  イメージセンサ
ＩＭａ  光電変換部
Ｔ  携帯電話機
【図１】
2013145989.tif 000005
【図２】
2013145989.tif 000006
【図３】
2013145989.tif 000007
【図４】
2013145989.tif 000008
【図５】
2013145989.tif 000009
【図６】
2013145989.tif 000010
【図７】
2013145989.tif 000011
【図８】
2013145989.tif 000012
【図９】
2013145989.tif 000013
【図１０】
2013145989.tif 000014
【図１１】
2013145989.tif 000015
【図１２】
2013145989.tif 000016
【図１３】
2013145989.tif 000017
【図１４】
2013145989.tif 000018
【図１５】
2013145989.tif 000019
【図１６】
2013145989.tif 000020
【図１７】
2013145989.tif 000021
【図１８】
2013145989.tif 000022
【図１９】
2013145989.tif 000023
【図２０】
2013145989.tif 000024
【図２１】
2013145989.tif 000025
【手続補正書】
【提出日】平成26年8月21日(2014.8.21)
【手続補正１】
【補正対象書類名】特許請求の範囲
【補正対象項目名】全文
【補正方法】変更
【補正の内容】
【特許請求の範囲】
【請求項１】
最大像高の画角が６５°以上、かつＦナンバーが３．０以下の撮像レンズにおいて、
物体側から順に第１レンズ、開口絞り、第２レンズ、第３レンズからなり、
前記第１レンズは物体側面が凸面の正レンズ、
前記第２レンズは物体面が凹面の正メニスカスレンズ、
前記第３レンズは像側面が光軸付近では凹面であり、かつ有効径内に変曲点を持ち、レンズ周辺では凸面となる非球面である負レンズであり、
以下の条件式を満足することを特徴とする撮像レンズ。
−５．０ ＜ ｒ３/ｆ ＜ −０．４ ・・・（１）
０．０ ＜ ｆ１/ｆ２ ＜ ５．０   ・・・（２）
０．７ ＜ Ｄｓ/Ｙ ＜ １．２     ・・・（５）
但し、
ｒ３：前記第２レンズ物体側面の曲率半径（ｍｍ）
ｆ：全系の焦点距離（ｍｍ）
ｆ１：前記第１レンズの焦点距離（ｍｍ）
ｆ２：前記第２レンズの焦点距離（ｍｍ）
Ｄｓ:前記開口絞りから像面までの距離（ｍｍ）
Ｙ:最大像高（ｍｍ）
【請求項２】
以下の条件式を満足することを特徴とする請求項１に記載の撮像レンズ。
−１．０ ＜ （ｒ５＋ｒ６）／（ｒ５−ｒ６） ＜ ２．５ ・・・（３）
但し、
ｒ５：前記第３レンズ物体側面の曲率半径（ｍｍ）
ｒ６：前記第３レンズ像側面の曲率半径（ｍｍ）
【請求項３】
以下の条件式を満足することを特徴とする請求項１または２に記載の撮像レンズ。
０．９ ＜ ｆ１/ｆ ＜ １．２・・・（４）
【請求項４】
以下の条件式を満足することを特徴とする請求項１〜３のいずれか１項に記載の撮像レンズ。
０．１５ ＜ ｄ１/ＴＴＬ ＜ ０．３・・・（６）
但し、
ｄ１：前記第１レンズの芯厚（ｍｍ）
ＴＴＬ：前記撮像レンズ全長(平板は空気換算とする)（ｍｍ）
【請求項５】
以下の条件式を満足することを特徴とする請求項１〜４のいずれか１項に記載の撮像レンズ。
−２．０ ＜ （ｒ１＋ｒ２）／（ｒ１−ｒ２） ＜ −０．６・・・（７）
但し、
ｒ１：前記第１レンズ物体側面の曲率半径（ｍｍ）
ｒ２：前記第１レンズ像側面の曲率半径（ｍｍ）
【請求項６】
下記の条件式を満足することを特徴とする請求項１〜５のいずれか１項に記載の撮像レンズ。
−２．０ ＜ ｒ３/ｆ ＜ −０．４ ・・・（８）
【請求項７】
以下の条件式を満足することを特徴とする請求項１〜６のいずれか１項に記載の撮像レンズ。
０．７ ＜ ｆ１/ｆ２ ＜ ２．３ ・・・（９）
【請求項８】
以下の条件式を満足することを特徴とする請求項１〜７のいずれか１項に記載の撮像レンズ。
０．１＜ （ｒ５＋ｒ６）／（ｒ５−ｒ６） ＜ ２．０・・・（１０）
【請求項９】
以下の条件式を満足することを特徴とする請求項１〜８のいずれか１項に記載の撮像レンズ。
４５ ＜ ｖ３ ＜７０ ・・・（１１）
ｖ３：第３レンズのアッベ数
【請求項１０】
以下の条件式を満足することを特徴とする請求項１〜９のいずれか１項に記載の撮像レンズ。
ＴＴＬ／ｆ ＜ １．５ ・・・（１２）
【請求項１１】
以下の条件式を満足することを特徴とする請求項１〜１０のいずれか１項に記載の撮像レンズ。
Ｄ／ＴＴＬ ＞ １．５  ・・・（１３）
但し、
Ｄ：入射瞳径（ｍｍ）
【請求項１２】
実質的にパワーを有しないレンズを有することを特徴とする請求項１〜１１のいずれか１項に記載の撮像レンズ。
【請求項１３】
請求項１〜１２のいずれか１項に記載の撮像レンズを備えることを特徴とする撮像装置。
【請求項１４】
請求項１３に記載の撮像装置を備えることを特徴とする携帯端末。
【手続補正２】
【補正対象書類名】明細書
【補正対象項目名】０００９
【補正方法】変更
【補正の内容】
【０００９】
請求項１に記載の撮像レンズは、最大像高の画角が６５°以上、かつＦナンバーが３．０以下の撮像レンズにおいて、
物体側から順に第１レンズ、開口絞り、第２レンズ、第３レンズからなり、
前記第１レンズは物体側面が凸面の正レンズ、
前記第２レンズは物体面が凹面の正メニスカスレンズ、
前記第３レンズは像側面が光軸付近では凹面であり、かつ有効径内に変曲点を持ち、レンズ周辺では凸面となる非球面である負レンズであり、
以下の条件式を満足することを特徴とする。
−５．０ ＜ ｒ３/ｆ ＜ −０．４ ・・・（１）
０．０ ＜ ｆ１/ｆ２ ＜ ５．０   ・・・（２）
０．７ ＜ Ｄｓ/Ｙ ＜ １．２     ・・・（５）
但し、
ｒ３：前記第２レンズ物体側面の曲率半径（ｍｍ）
ｆ：全系の焦点距離（ｍｍ）
ｆ１：前記第１レンズの焦点距離（ｍｍ）
ｆ２：前記第２レンズの焦点距離（ｍｍ）
Ｄｓ:前記開口絞りから像面までの距離（ｍｍ）
Ｙ:最大像高（ｍｍ）
【手続補正３】
【補正対象書類名】明細書
【補正対象項目名】００１４
【補正方法】変更
【補正の内容】
【００１４】
また条件式（１）は、前記第２レンズの物体側面の曲率半径と全系の焦点距離の比を規定する条件式であるが、条件式（１）の値が下限を下回るほど曲率半径が小さい場合、特にF3以下の明るいレンズにおいては、暗いレンズに比べ光線高さが高くなり、よりレンズ面の角度が大きいレンズ周辺部に光線が入射するため、偏芯誤差感度が高くなってしまう。また条件式（１）の値が上限を上回るほど曲率半径が大きい場合、面への光線の入射角が大きくなってしまい、コマ収差等の収差の発生を抑えることが困難となる。従って条件式（１）を満たすことで、偏芯誤差感度を低減させつつ、収差補正が良好なレンズとすることができる。
条件式（５）は、前記開口絞りから像面までの距離と最大像高の比を規定する条件式である。条件式（５）の値が下限を上回ることで、最大像高に対し前記開口絞りを像面から遠ざけ射出瞳位置を物体側へ寄せて、テレセントリック性を良好にすることができる。また条件式（５）の値が上限を下回ることで、前記開口絞りが像面から遠ざかり過ぎることを抑えて、光学全長が大きくなってしまうことを防ぐことができる。
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】変更
【補正の内容】
【００２１】
請求項４に記載の撮像レンズは、請求項１〜３のいずれかに記載の発明において、以下の条件式を満足することを特徴とする。
０．１５ ＜ ｄ１/ＴＴＬ ＜ ０．３・・・（６）
但し、
ｄ１：前記第１レンズの芯厚（ｍｍ）
ＴＴＬ：前記撮像レンズ全長(平板は空気換算とする)（ｍｍ）
【手続補正７】
【補正対象書類名】明細書
【補正対象項目名】００２３
【補正方法】変更
【補正の内容】
【００２３】
請求項５に記載の撮像レンズは、請求項１〜４のいずれかに記載の発明において、以下の条件式を満足することを特徴とする。
−２．０ ＜ （ｒ１＋ｒ２）／（ｒ１−ｒ２） ＜ −０．６・・・（７）
但し、
ｒ１：前記第１レンズ物体側面の曲率半径（ｍｍ）
ｒ２：前記第１レンズ像側面の曲率半径（ｍｍ）
【手続補正８】
【補正対象書類名】明細書
【補正対象項目名】００２５
【補正方法】変更
【補正の内容】
【００２５】
請求項６に記載の撮像レンズは、請求項１〜５のいずれかに記載の発明において、下記の条件式を満足することを特徴とする。
−２．０ ＜ ｒ３/ｆ ＜ −０．４ ・・・（８）
【手続補正９】
【補正対象書類名】明細書
【補正対象項目名】００２７
【補正方法】変更
【補正の内容】
【００２７】
請求項７に記載の撮像レンズは、請求項１〜６のいずれかに記載の発明において、以下の条件式を満足することを特徴とする。
０．７ ＜ ｆ１/ｆ２ ＜ ２．３ ・・・（９）
【手続補正１０】
【補正対象書類名】明細書
【補正対象項目名】００２９
【補正方法】変更
【補正の内容】
【００２９】
請求項８に記載の撮像レンズは、請求項１〜７のいずれかに記載の発明において、以下の条件式を満足することを特徴とする。
０．１＜ （ｒ５＋ｒ６）／（ｒ５−ｒ６） ＜ ２．０・・・（１０）
【手続補正１１】
【補正対象書類名】明細書
【補正対象項目名】００３１
【補正方法】変更
【補正の内容】
【００３１】
請求項９に記載の撮像レンズは、請求項１〜８のいずれかに記載の発明において、以下の条件式を満足することを特徴とする。
４５ ＜ ｖ３ ＜７０ ・・・（１１）
ｖ３：第３レンズのアッベ数
【手続補正１２】
【補正対象書類名】明細書
【補正対象項目名】００３３
【補正方法】変更
【補正の内容】
【００３３】
請求項１０に記載の撮像レンズは、請求項１〜９のいずれかに記載の発明において、以下の条件式を満足することを特徴とする。
ＴＴＬ／ｆ ＜ １．５ ・・・（１２）
【手続補正１３】
【補正対象書類名】明細書
【補正対象項目名】００３５
【補正方法】変更
【補正の内容】
【００３５】
請求項１１に記載の撮像レンズは、請求項１〜１０のいずれかに記載の発明において、以下の条件式を満足することを特徴とする。
Ｄ／ＴＴＬ ＞ １．５・・・（１３）
但し、
Ｄ：入射瞳径（ｍｍ）
【手続補正１４】
【補正対象書類名】明細書
【補正対象項目名】００３７
【補正方法】変更
【補正の内容】
【００３７】
請求項１２に記載の撮像レンズは、請求項１〜１１のいずれかに記載の発明において、実質的にパワーを有しないレンズを有することを特徴とする。つまり、請求項１の構成に、実質的にパワーを持たないダミーレンズを付与した場合でも本発明の適用範囲内である。
【手続補正１５】
【補正対象書類名】明細書
【補正対象項目名】００３８
【補正方法】変更
【補正の内容】
【００３８】
請求項１３に記載の撮像装置は、請求項１〜１２のいずれかに記載の撮像レンズを備えることを特徴とする。
【手続補正１６】
【補正対象書類名】明細書
【補正対象項目名】００３９
【補正方法】変更
【補正の内容】
【００３９】
請求項１４に記載の携帯端末は、請求項１３に記載の撮像装置を備えることを特徴とする。
【国際調査報告】
2013145989.tif 000026
2013145989.tif 000027
2013145989.tif 000028
2013145989.tif 000029